(57)【要約】【課題】コンパクト性を維持しつつ、レンズの絶対位置を精度良く検出でき、ズーミング比が大きくレンズ移動距離が大きくなる場合でもコンパクト性を維持しつつレンズ位置の測定範囲の拡大を図ることができるレンズ位置検出装置を提供する。【解決手段】レンズ移動枠ユニット１３に導電部材２０が取り付けられ、固定枠１２に平面インダクタ１９が取付けられている。フォーカスリング７を回すことにより導電部材２０が光軸方向に前後進し平面インダクタ１９との距離が変化する。導電部材２０と平面インダクタ１９との距離変化により、平面インダクタ１９と他の電気回路よりなる回路の周波数が変化する。平面インダクタ１９のインダクタ変化による周波数変化と、導電部材２０と平面インダクタ１９の距離が対応づけられているため、絶対的な距離を検出することができる。【選択図】        図１
2004348061.tif 000002
【特許請求の範囲】
【請求項１】
レンズ倍率または撮影距離変更のため固定枠に対しレンズ移動枠を光軸方向に移動可能なレンズ装置において、
前記レンズ移動枠と固定枠のいずれか一方に平面インダクタ部材を、他方に導電部材を設け、
前記レンズ移動枠の移動に伴い前記平面インダクタ部材と導電部材の距離を変化させる手段と、
前記平面インダクタ部材から出力される電気信号変化によりレンズの移動位置を検出するレンズ位置検出回路と、
を有することを特徴とするレンズ位置検出装置。
【請求項２】
前記平面インダクタ部材と導電部材の距離を変化させる手段は、
前記レンズ移動枠の移動に連動して回転する回転枠を有し、該回転枠に光軸方向に傾斜する導電面を設けるとともに前記固定枠に前記導電面に対面させる平面インダクタ部材を設け、
前記レンズ移動枠の移動によって前記回転枠が回転したとき前記平面インダクタ部材と導電面との距離を変化させるように構成したことを特徴とする請求項１記載のレンズ位置検出装置。
【請求項３】
レンズ倍率または撮影距離変更のため固定枠に対しレンズ移動枠を光軸方向に移動可能で、前記レンズ移動枠と固定枠のいずれか一方に平面インダクタ部材を、他方に導電部材を取付け、前記平面インダクタ部材と導電部材間の距離変化により前記平面インダクタ部材から出力される電気信号変化を得てレンズの移動位置を検出するレンズ位置検出装置であって、
前記固定枠に平面インダクタ部材または導電部材を設ける場合は、前記レンズ移動枠に前記固定枠の平面インダクタ部材または導電部材を挟んで導電部材または平面インダクタ部材を設け、
前記レンズ移動枠に平面インダクタ部材または導電部材を設ける場合は、前記固定枠に前記レンズ移動枠の平面インダクタ部材または導電部材を挟んで導電部材または平面インダクタ部材を設け、
前記挟まれた導電部材または平面インダクタ部材の位置に応じて、一方の平面インダクタ部材から取り出している電気信号を他方の平面イングクタ部材から取り出すように切替える切替回路と、
平面インダクタ部材から出力される電気信号変化によりレンズ位置を検出するレンズ位置検出回路と、
を有することを特徴とするレンズ位置検出装置。
【請求項４】
レンズ倍率または撮影距離変更のため固定枠に対し２以上のレンズ移動枠を有し、各レンズ移動枠は光軸方向に移動可能なレンズ鏡枠において、
前記２以上のレンズ移動枠にぞれぞれ導電部材と平面インダクタ部材とを設け、
各レンズ移動枠間の距離変化に対し、前記各レンズ移動枠の平面インダクタ部材から出力される電気信号変化によりレンズ位置を検出するレンズ位置検出回路を有し、
各レンズ移動枠の位置を検出することを特徴とするレンズ位置検出装置。
【請求項５】
前記各レンズ移動枠の平面インダクタ部材と導電部材は、平面インダクタ部，絶縁層および導電層を積層して一体に形成したことを特徴とする請求項４記載のレンズ位置検出装置。
【請求項６】
前記レンズ位置検出回路は、前記レンズ移動枠移動によるインダクタンス変化に対し周波数または電圧が変化し、前記周波数または電圧と前記平面インダクタ部材，導電部材間の距離との関係によりレンズ位置情報を出力することを特徴とする請求項１乃至５記載のレンズ位置検出装置。
【発明の詳細な説明】
【０００１】
【発明の属する技術分野】
本発明はレンズ倍率または撮影距離変更機能を有するレンズ装置、さらに詳しくいえば、該レンズ装置においてオートフォーカス動作時などのレンズ位置検出に適したレンズ位置検出装置に関する。
【０００２】
【従来の技術】
従来のカメラのオートフォーカスシステム（以下、「ＡＦＳ」という。）は、レンズ位置を検出する手段として様々な方式が用いられている。
最もシンプルな方式としては、駆動用モータの回転数を検出することによりレンズ位置を検出する方式のものがある。この方式は、モータ出力軸からレンズ移動枠に伝達するギヤ列の途中で、円盤状のスリット板とフォトインタラプタによりパルス信号を発生させ、このパルス数をカウントすることによりレンズ位置を検出するものである（特許文献１）。
また、レンズ鏡胴の固定枠部に発光素子および受光素子を配置し、移動枠部に回折格子を配置しパルス信号を発生させ、このパルス数をカウントすることによりレンズ位置を検出しているものも開示されている（特許文献２）。
【特許文献１】
特開平１−２１７４０８号公報
【特許文献２】
特開平２−７７７０８号公報
【０００３】
前者のモータ回転数を検出する方法は、多数のギヤが介在するため追従性が問題となり必ずしも正確なレンズ位置は検出できない。また、後者の発受光部品と回折格子を用いた方式では、レンズ位置を高精度で検出するためには回折格子の加工精度に依存することとなり、製造上の困難さが伴うという問題があった。
これら方式は、共にパルスカウントすることによりレンズ位置を検出しており、レンズの絶対位置を検出する方式ではない。したがって従来のレンズ位置検出装置はレンズの絶対位置を検出するために機構が別途必要となり、機構の複雑化に加えてコストアップの要因となっていた。また、上記従来方式では１度ゴミ等によりパルスカウントエラーを発生した場合にはレンズ位置検出は誤検出となり致命的となる。
さらに発生パルスをレンズ移動制御システムが常に監視しなければならずレンズ移動におけるを高精度制御は該制御システムの演算速度に依存することになる。
【０００４】
【発明が解決しようとする課題】
そこでレンズの絶対位置検出を、高精度に、かつ、コンパクトな機構で実現できるレンズ位置検出装置が要請される。
この要請に基づき本件発明者は平面インダクタと導電性物質を用いてレンズの絶対位置検出を行うことを発明した。ここで、レンズ位置の測定範囲は平面インダクタの表面積に依存するととなり、大きなレンズ位置の測定範囲を確保するためには平面インダクタの面積を大きくしなければならない。しかしながら、レンズ装置自体コンパクト性が要求されるため、採用する場合にはレンズ移動枠の移動が小さいものに限定される。
例えば、平面インダクタの表面積が１０×１０ｍｍ程度では、１０ｍｍほどの移動測定範囲となり、それ以上のレンズ移動には対応できないこととなる。平面インダクタの表面積を大きくとれば対応できるが、レンズ装置も大きくなる
【０００５】
よってズーミング比の大きいレンズ装置をコンパクト性を維持しつつ精度よく位置検出を実現するためには限界が生じる。
本発明は上記要請に応えるもので、その目的は、コンパクト性を維持しつつ、レンズの絶対位置を精度良く検出でき、ズーミング比が大きくレンズ移動距離が大きくなる場合でもコンパクト性を維持しつつレンズ位置の測定範囲の拡大を図ることができるレンズ位置検出装置を提供することにある。
【０００６】
【課題を解決するための手段】
前記目的を達成するために本発明は、レンズ倍率または撮影距離変更のため固定枠に対しレンズ移動枠を光軸方向に移動可能なレンズ装置において、前記レンズ移動枠と固定枠のいずれか一方に平面インダクタ部材を、他方に導電部材を設け、前記レンズ移動枠の移動に伴い前記平面インダクタ部材と導電部材の距離を変化させる手段と、前記平面インダクタ部材から出力される電気信号変化によりレンズの移動位置を検出するレンズ位置検出回路とを有することを特徴とする。
また、本発明は上記構成において前記平面インダクタ部材と導電部材の距離を変化させる手段は、前記レンズ移動枠の移動に連動して回転する回転枠を有し、該回転枠に光軸方向に傾斜する導電面を設けるとともに前記固定枠に前記導電面に対面させる平面インダクタ部材を設け、前記レンズ移動枠の移動によって前記回転枠が回転したとき前記平面インダクタ部材と導電面との距離を変化させるように構成する。
さらに本発明は、レンズ倍率または撮影距離変更のため固定枠に対しレンズ移動枠を光軸方向に移動可能で、前記レンズ移動枠と固定枠のいずれか一方に平面インダクタ部材を、他方に導電部材を取付け、前記平面インダクタ部材と導電部材間の距離変化により前記平面インダクタ部材から出力される電気信号変化を得てレンズの移動位置を検出するレンズ位置検出装置であって、前記固定枠に平面インダクタ部材または導電部材を設ける場合は、前記レンズ移動枠に前記固定枠の平面インダクタ部材または導電部材を挟んで導電部材または平面インダクタ部材を設け、前記レンズ移動枠に平面インダクタ部材または導電部材を設ける場合は、前記固定枠に前記レンズ移動枠の平面インダクタ部材または導電部材を挟んで導電部材または平面インダクタ部材を設け、前記挟まれた導電部材または平面インダクタ部材の位置に応じて、一方の平面インダクタ部材から取り出している電気信号を他方の平面イングクタ部材から取り出すように切替える切替回路と、平面インダクタ部材から出力される電気信号変化によりレンズ位置を検出するレンズ位置検出回路とを有することを特徴とする。
さらには本発明は、レンズ倍率または撮影距離変更のため固定枠に対し２以上のレンズ移動枠を有し、各レンズ移動枠は光軸方向に移動可能なレンズ鏡枠において、前記２以上のレンズ移動枠にぞれぞれ導電部材と平面インダクタ部材とを設け、各レンズ移動枠間の距離変化に対し、前記各レンズ移動枠の平面インダクタ部材から出力される電気信号変化によりレンズ位置を検出するレンズ位置検出回路を有し、各レンズ移動枠の位置を検出することを特徴とする。
なお、前記各レンズ移動枠の平面インダクタ部材と導電部材は、平面インダクタ部，絶縁層および導電層を積層して一体に形成することができる。
また本発明における前記レンズ位置検出回路は、前記レンズ移動枠移動によるインダクタンス変化に対し周波数または電圧が変化し、前記周波数または電圧と前記平面インダクタ部材，導電部材間の距離との関係によりレンズ位置情報を出力するように構成することができる。
【０００７】
【作用】
上記構成によれば、生産性の良好なコンパクトなレンズ位置検出装置を実現することができる。
また、レンズ移動枠の大きな移動距離に対してもコンパクトで正確なレンズの絶対位置を検出することができる。
【０００８】
【発明の実施の形態】
以下、図面を参照して、本発明の実施の形態について説明する。
図１は本発明によるレンズ位置検出装置を採用したレンズ位置検出装置の実施の形態を示す断面図である。
図において、２は距離表示リング，３はボール，４はフォーカスレバー，５はギヤユニット，６はカムボス，７はフォーカスリング，８は前保持リング，９はフィルタ枠，１０はネームリング，１１はカム枠，１２は固定枠，１３は移動枠ユニット，１４は後化粧リング，１５は電気接点，１６はマウント枠，１７は絞りリング，１８は連結ギヤ，１９は平面インダクタ，２０は導電部材である。
【０００９】
つぎに、上記レンズ位置検出装置の動作について説明する。
この実施の形態は単焦点レンズであるが、ズームレンズにおいても同様の機構は配置可能である。最初に、図１の構成概略図によりレンズ全体の動作説明を行う。
バヨネット形状になっているマウント枠１６は図示しないカメラ本体のマウントと結合する。このとき電気接点１５とカメラの接点が電気的に接続し、レンズに電源が投入され、撮影動作に入ることとなる。
【００１０】
撮影者はフォーカス動作として、マニュアルフォーカスかオートフォーカスかをカメラ本体側のスイッチで選択する。次に所望の被写体をレンズ内に納めると、マニュアルフォーカスモードの場合、撮影者はフォーカスリング７を回転させる。フォーカスリング７の回転はギヤユニット５を介して距離表示リング２を回転させる。
距離表示リング２にはフォーカスレバー４が取付けられており、距離表示リング２の回転によりカム枠１１が回転させられる。カム枠１１には、カム溝１１ａが螺旋状に設けられ、レンズ移動枠ユニット１３には、カムボス６が等角度で３ヵ所に取り付けられている。カムボス６が上記螺旋状のカム溝に係合され、移動枠ユニット１３の外側に嵌合させられている固定枠１２には光軸方向に直進ガイド溝１２ａが形成されており、この部分もカムボス６が係合されているため、カム枠１１の回転は直進方向に変換されレンズ移動枠ユニット１３は光軸上を前後進することができる。
以上の機構により距離表示リング１とレンズ移動枠ユニット１３の動作を連動させている。
【００１１】
また、撮影者がオートフォーカスモードを選択した場合は、図示しないモータが回転駆動し、図示しないギヤ列および連結ギヤ１８を介してギヤユニット５に回転力が伝達される。この場合は、ギヤユニット５はフォーカスリング７を回転させずに距離表示用リング１を回転させる。以降の動作は、マニュアルフォーカスモードと同様である。
図１Ａにフォーカスリングからレンズ移動枠ユニットまでの連動およびオートフォーカス連動機構部分の部分詳細図を示す。
なお、図１で示した本発明の実施の形態は、マニュアルフォーカスとオートフォーカスのモード選択を、差動機構を採用したギヤユニット５を用いて切り替える例を示しているが、別にギヤの噛み合いの切り替えによってもモード選択は可能である。
【００１２】
図２は図１のレンズ移動枠ユニットと固定枠に設けた導電部材と平面コンダクタ部材との位置関係を示す斜視図である。
固定枠１２には導電部材嵌合溝２２が光軸方向に形成されており、レンズ移動枠ユニット１３に固定された導電部材２０はこの導電部材嵌合溝２２の中を前後に移動する。導電部材嵌合溝２２の端には平面コンダクタ１９が設けられている。
【００１３】
図３は、平面インダクタ部材の形状の例を説明するための図である。
（ａ）は角形スパイラルの形状，（ｂ）はメアンダ形状，（ｃ）は楕円形スパイラレル形状に施したものである。このように種々の形状に作ることができ、形状毎に異なるインダクタンス変化率を有している。これら各形状は、絶縁基板上に導体パターンを印刷することにより形成することができる。
【００１４】
図４は、図１の回路の実施の形態を示すブロック図である。
オートフォーカス時、被写体距離に応じてレンズ移動枠ユニット１３を移動させる。このレンズ移動枠ユニット１３の移動量は、レンズを通して入射された被写体像の焦点ずれを図示しないカメラで検出，演算し決定する。カメラＭＰＵ２７はレンズ駆動回路２８を制御し、モータ２９の駆動によってレンズ移動枠ユニット１３を移動させる。
これにより、固定枠１２に取り付けられた平面インダクタ１９とレンズ移動枠ユニット１３の導電部材２０との間の距離は変わり、平面インダクタ１９のインダクタンス変化により平面インダクタ１９に発生する周波数（電圧変化も生じる）が変化する。この周波数変化は周波数変化検出器２５により検出され位置情報出力部２６に送られる。位置情報出力部２６は周波数に対応して平面インダクタ１９と導電部材２０の間隔を示す情報を出力する。カメラのＭＰＵ２７はこの情報からレンズの現在位置を知り、オートフォーカス制御を行うこととなる。
【００１５】
この回路例はオートフォーカス動作の例であるが、マニュアルフォーカスの場合には、距離リングが操作された量は、同様に検出され周波数変化検出器２５，位置情報出力部２６によってカメラＭＰＵ２７に伝達され、図示しない表示部にレンズ位置を表示することができる。
【００１６】
レンズ位置検出手段である平面インダクタ１９と導電物質２０についての検出原理を図５により説明する。
平面インダクタ１９に交流電圧を印加すると、平面インダクタ１９に交流磁界が発生し導電物質２０に渦電流が発生することとなる。
これにより平面インダクタ１９と導電物質２０は電磁気的に結合する。また、平面インダクタ１９と導電物質２０間は静電的にも結合し、キャパシタともなる。電磁気的結合か、静電的結合かは、図３に示したように平面インダクタ１９の線幅および形状によって異なる。したがって、これらを調整することにより測定系に合った特性を得ることができる。
平面インダクタ１９と導電物質２０の距離が縮まればインダクタンスが減少し、距離が広がればインダクタンスが増加するので、この変化を電圧または周波数変化として検出すれば良いこととなる。図４の例は周波数変化として検出するようにしたものである。
【００１７】
以上のようにして得られた電圧または周波数変化と距離の関係は非線形であり、距離が大になるにしたがって急激に変化が小さくなっていく。
電圧または周波数変化と距離の関係は平面インダクタおよび導電物質の表面積に依存して大きくなるが、現実的な寸法，例えばφ１０ｍｍの表面積の場合、１０ｍｍ程度が検出限界距離範囲となる。ＡＦのためのレンズ移動量が１０ｍｍ以下に制約されることになる。しかしながらコンパクトカメラのカメラユニットであれば十分な検出距離範囲である。
一方、ズーム動作の検出または交換レンズのＡＦレンズ移動では、１０ｍｍでは不足な場合が多い。そこで、無限位置付近に設けた平面インダクタと導電部材によりレンズ移動量を検出し、導電部材が中間距離まで達したときにもう一方の平面インダクタ側に切り替え、もう一方の平面インダクタと導電部材により至近距離までを検出する構成を用いることができる（図７で説明）。
【００１８】
図６は、平面インダクタと導電部材（導電面）の他の実施の形態を説明するための図で、（ａ）は回転枠の斜視図，（ｂ）は回転枠の平面図である。
レンズ移動枠ユニット３１のリング面に沿って傾斜面を形成し、この傾斜面に導電面３２を設けている。この導電面３２に対し平面インダクタ３３が対面するように図示しない固定枠に取り付けている。このように導電面３２を傾斜面に設けることにより、レンズ移動枠ユニット３１の直線移動する部分に導電面３２を設けなくてもレンズ移動枠ユニット３１の回転で平面インダクタ３３との間の距離を変えることができる。
【００１９】
図７は、本発明によるレンズ位置検出装置を採用した他のレンズ位置検出装置の実施の形態を示す断面図であり、図１と同じ機能を果たす部分には同じ符号を付してある。図８はレンズ移動枠に取り付けた導電部材と固定枠に取り付けた平面インダクタの位置関係を示す詳細図である。
この実施の形態は、レンズ移動枠ユニット１３の導電部材２１に対し、この導電部材２１を挟むように２つの平面インダクタ１９，３５を固定枠１２に設けている。すなわち平面インダクタ３５，１９は導電部材嵌合溝２２の左端と右端にそれぞれ設けてられている。
導電部材嵌合溝２２の中央より右寄りの位置で導電部材２１が移動している場合には平面インダクタ１９により、中央より左寄りの位置に移動した場合には平面インダクタ３５によりそれぞれ検出する。導電部材嵌合溝２２の中央の位置で反対側の平面インダクタで検出するように切り替えられる。
【００２０】
図９は、レンズ移動枠と固定枠に対し導電部材と平面コンダクタ部材の他の組み合わせの例を説明するための図である。
（ａ）はレンズ移動枠ユニット１３に平面インダクタＡを設け、これを挟むように固定枠１２の溝端に導電部材Ｂ１，Ｂ２を配置し、平面インダクタＡを移動させるようにしたものである。平面インダクタＡは両面に図３に示すようなパターンのインダクタが形成され、それぞれのインダクタから出力が取り出され、導電部材Ｂ１，Ｂ２の中間位置に移動したとき、その出力は他方のインダクタ側に切り替えられる。
（ｂ）は固定枠２３に平面インダクタＡを設け、これを挟むようにレンズ移動枠ユニット２４に導電部材Ｂ１，Ｂ２を配置し、２つの導電部材Ｂ１，Ｂ２を移動させるようにしたものである。この平面インダクタＡも両面に図３に示すようなパターンのインダクタが形成され、それぞれのインダクタから出力が取り出され、レンズ移動ユニット２４が移動して平面インダクタＡが導電部材Ｂ１，Ｂ２の中間位置になったとき他方のインダクタ側に切り替えられる。
（ｃ）は固定枠２３に導電部材を設け、これを挟むようにレンズ移動枠ユニット２４に平面インダクタＡ１，Ａ２を配置し、２つの平面インダクタＡ１，Ａ２を移動させるようにしたものである。レンズ移動ユニット２４が移動して導電部材Ｂが平面インダクタＡ１，Ａ２の中間位置になったとき他方のインダクタ側に切り替えられる。
以上のような構成により、２０ｍｍのレンズ位置検出範囲を確保することが可能となる。
【００２１】
図１０は、図８の回路の実施の形態を示すブロック図である。
本図は第４図と同じ符号を付してある周波数変化検出器２５，位置情報出力部２６，カメラのＭＰＵ２７，レンズ駆動回路２８およびモータ２９は、同じ回路機能を果たす。レンズ移動ユニット１３の導電部材２１に対し、固定部材１２の２つの平面コンダクタ１９，３５の一端が切替回路４１に接続されている。
切替回路４１は平面インダクタ１９，３５の出力を切り替えて周波数変化検出器２５に送出する回路で、例えば平面インダクタ１９の出力に切り替えられている状態とする。位置情報出力部２６から出力される位置情報は、平面インダクタ１９に導電部材２１が最も近い位置を０ｍｍとし中間位置までを１０ｍｍとする。レンズ移動ユニット１３の移動によって導電部材２１が１０ｍｍ以上になろうとすると、切替回路４１は平面インダクタ３５の出力に切り替えられる。
１０ｍｍ以上の領域では平面インダクタ３５による位置情報が得られ、位置情報出力部２６は中間位置より左側に移動すると、１０ｍｍに平面インダクタ３５に対する移動分（１０ｍｍまで）を加えた位置情報を出力する。
【００２２】
図１１は、平面インダクタをレンズ移動枠に設けた場合の回路の実施の形態を示すブロック図である。
この実施の形態は基板の両面に図３のパターンの平面インダクタが設けられた導電部材の例である。レンズ移動枠ユニット１３が導電部材５０，５１の中間位置にきたとき、平面コンダクタ５２，５３の出力を切替回路４１により取り替えるものである。他の構成および動作は図１０と同じである。
【００２３】
図１２は、本発明によるレンズ位置検出装置を採用したさらに他のレンズ位置検出装置の実施の形態を示す断面図である。
この実施の形態は相互に移動する多数のレンズ移動枠位置を検出するものである。第１レンズ移動枠５１にはレンズ５７が、第２レンズ移動枠５２にはレンズ５８が、第３レンズ移動枠５３にはレンズ５４がそれぞれ取り付けられ、各レンズ移動枠５１，５２および５３は軸６０，６１に光軸方向に摺動可能に取り付けられている。レンズ移動枠５１，５２および５３には図１４に示す平面インダクタ部，絶縁層および導電面よりなる検出センサ５４，５５および５６が取り付けられている。センサ５４，５５および５６からは出力が取り出される。
【００２４】
図１３は、図１２の回路の実施の形態を示すブロック図である。
検出センサ５４の導電部材５４ｂと固定枠６３の平面インダクタ６３ｂにより、検出センサ５５の導電部材５５ｂと検出センサ５４の平面インダクタ５４ａにより、検出センサ５６の導電部材５６ｂと検出センサ５５の平面インダクタ５５ａにより、固定枠６３の導電部材６３ａと検出センサ５６の平面インダクタ５６ａにより、それぞれ一対の距離センサが形成される。
平面インダクタ５４ａ，５５ａ，５６ａおよび６３ｂの出力は時分割回路６４に接続されている。時分割回路６４は一定の周期毎に各平面インダクタの出力を取り入れ、シーケンシャルに各平面インダクタの出力を周波数変換検出器６５に送出する。位置情報出力部６６は周波数変化によって図５に示すグラフを参照し各平面インダクタと導電部材間の距離を得ることができる。
【００２５】
カメラのＭＰＵ６７はこの情報からレンズの現在位置を知り、オートフォーカス制御を行うこととなる。カメラのＭＰＵ６７は例えば平面インダクタ６３ｂの位置を基準に左方向に現在のレンズ位置を示すと、第１レンズ移動枠５４の位置は平面インダクタ６３ｂの出力で得ることができる。
第２レンズ移動枠５５の位置は、平面インダクタ５５ａで第２レンズ移動枠５５と第１レンズ移動枠５４の距離を得、これに第１レンズ移動枠５４の位置を加えることにより得ることができる。
第３レンズ移動枠５６の位置は平面インダクタ５６ａで第３レンズ移動枠５６と第２レンズ移動枠５５の距離を得、これに第２レンズ移動枠５５の位置を加えることにより得ることができる。このようにして得た各レンズ移動枠の位置に対し、オートフォーカスするための測光データを得て、各レンズ移動枠の移動量を決定し、レンズ駆動回路６８を制御しモータ６７を駆動しモータ出力を切替機構で切り替えることにより、各レンズ移動枠を個別に駆動制御することが可能となる。
【００２６】
以上の動作説明はＡＦ時について説明したが、ＭＦ（マニュアルフォーカス）時でも良いし、これをズームによるレンズ移動に使用しても同様の効果が得られる。
【００２７】
【発明の効果】
以上、説明したように本発明によれば、コンパクト性を維持しつつ、レンズの絶対位置を精度の良く検出できる。さらにズーミング比が大きくレンズ移動距離が大きくなるレンズ装置においてもコンパクト性を維持しつつレンズ位置の測定範囲を広げてレンズの絶対位置を検出することが可能となる。
【図面の簡単な説明】
【図１】本発明によるレンズ位置検出装置を採用したレンズ位置検出装置の実施の形態を示す断面図である。
【図１Ａ】フォーカスリングからレンズ移動枠ユニットまでの連動およびオートフォーカス連動機構部分の部分詳細図である。
【図２】図１のレンズ移動枠と固定枠に設けた導電部材と平面コンダクタ部材との位置関係を示す斜視図である。
【図３】平面インダクタ部材の形状を示す図で、（ａ）は角形のスパイラル型，（ｂ）はメアンダ型，（ｃ）は楕円形のスパイラル型の例である。。
【図４】図１の回路の実施の形態を示すブロック図である。
【図５】インダクタンス変化による周波数変化と導電部材，平面インダクタ部材間の間隔との位置関係を示すグラフである。
【図６】平面インダクタと導電部材（導電面）の他の実施の形態を説明するための図で、（ａ）は回転枠の斜視図，（ｂ）は回転枠の平面図である。
【図７】本発明によるレンズ位置検出装置を採用した他のレンズ位置検出装置の実施の形態を示す断面図である。
【図８】図７のレンズ移動枠に取り付けた導電部材と固定枠に取り付けた平面インダクタの位置関係を示す詳細図である。
【図９】レンズ移動枠と固定枠に対し導電部材と平面インダクタ部材の他の組み合わせの例を説明するための図である。
【図１０】図８の回路の実施の形態を示すブロック図である。
【図１１】平面インダクタをレンズ移動枠に設けた場合の回路の実施の形態を示すブロック図である。
【図１２】本発明によるレンズ位置検出装置を採用したさらに他のレンズ位置検出装置の実施の形態を示す断面図である。
【図１３】図１２の回路の実施の形態を示すブロック図である。
【図１４】図１２の平面インダクタ部材と導電部材を一体に形成した例を示す図である。
【符号の説明】
２  距離表示リング
３  ボール
４  フォーカスレバー
５  ギヤユニット
６  カムボス
７  フォーカスリング
８  前保持リング
９  フィルタ枠
１０  ネームリング
１１  カム枠
１２  固定枠
１３  レンズ移動枠ユニット
１４  後化粧リング
１５  電気接点
１６  マウント枠
１７  絞りリング
１８  連結ギヤ
１９  平面インダクタ
２０  導電部材
２２  導電部材嵌合溝
２５  周波数変化検出器
２６  位置情報出力部
２７  カメラのＭＰＵ
２８  レンズ駆動回路
２９  モータ
【図１】
2004348061.tif 000003
【図１Ａ】
2004348061.tif 000004
【図２】
2004348061.tif 000005
【図３】
2004348061.tif 000006
【図４】
2004348061.tif 000007
【図５】
2004348061.tif 000008
【図６】
2004348061.tif 000009
【図７】
2004348061.tif 000010
【図８】
2004348061.tif 000011
【図９】
2004348061.tif 000012
【図１０】
2004348061.tif 000013
【図１１】
2004348061.tif 000014
【図１２】
2004348061.tif 000015
【図１３】
2004348061.tif 000016
【図１４】
2004348061.tif 000017